(57)【要約】  歯科用ウェッジ（１０）は、修復歯側（２４）を含む。修復歯側は、部分的に上方縁（３４）と下方縁（４２）とによって定められる概ね長手に延びる平面的な壁（４４）を有し、平面的な壁は傾斜させられ、平面的な壁は、下方縁から上向き及び内向きに延び、平面的な壁は、上方傾斜表面（４６）と、下方傾斜表面（４８）とを含み、平面的な壁は、長手方向に延びる凹面の湾曲を有し、上方傾斜表面は、修復歯側を概ね定める。歯科用ウェッジ（１０）は、隣接歯側（２２）を更に含む。隣接歯側は、概ね長手に延びる平面的な脚（５０）を有し、平面的な脚は、上方縁（３４）と下方縁（４２）との間の場所で平面的な壁の下方傾斜表面（４８）から延び、平面的な壁及び平面的な脚は、長手に延びる反転Ｖ形状の通路（３６）を定め、平面的な脚は、凹部領域（３０）を有する下方縁（４０）を含む。【特許請求の範囲】
【請求項１】
非対称的な側部を有する歯科用ウェッジであって、
修復歯側と、
隣接歯側とを含み、
前記修復歯側は、部分的に上方縁と下方縁とによって定められる概ね長手に延びる平面的な壁を有し、該平面的な壁は傾斜させられ、前記平面的な壁は、前記下方縁から上向き及び内向きに延び、前記平面的な壁は、上方傾斜表面と、下方傾斜表面とを含み、前記平面的な壁は、長手方向に延びる凹面の湾曲を有し、前記上方傾斜表面は、前記修復歯側を概ね定め、
前記隣接歯側は、概ね長手に延びる平面的な脚を有し、該平面的な脚は、前記上方縁と前記下方縁との間の場所で前記平面的な壁の前記下方傾斜表面から延び、前記平面的な壁及び前記平面的な脚は、長手に延びる反転Ｖ形状の通路を定め、前記平面的な脚は、凹部領域を有する下方縁を含む、
歯科用ウェッジ。
【請求項２】
当該歯科用ウェッジは、概ね可撓な材料で作製される、請求項１に記載の歯科用ウェッジ。
【請求項３】
当該歯科用ウェッジは、ヘッド部分と、ネック部分と、本体部分とを含み、前記修復歯側及び前記隣接歯側は、前記本体部分に形成される、請求項１に記載の歯科用ウェッジ。
【請求項４】
当該歯科用ウェッジは、ヘッド部分と、ネック部分と、本体部分とを含み、前記修復歯側及び前記隣接歯側は、前記本体部分と前記ネック部分とに形成される、請求項１に記載の歯科用ウェッジ。
【請求項５】
前記本体部分は、平坦な先端で終端し、前記平面的な壁及び前記平面的な脚の前記下方縁は、集束的な方法において、前記平坦な先端に向かって上方に湾曲する、請求項３に記載の歯科用ウェッジ。
【請求項６】
前記平面的な脚の前記凹部領域は、ノッチである、請求項１に記載の歯科用ウェッジ。
【請求項７】
前記平面的な壁及び前記平面的な脚は、前記ネック部分に移行部分を含み、前記平面的な壁は、湾曲した上方縁と、湾曲した下方縁とを含み、前記平面的な脚は、湾曲した下方縁を含み、前記湾曲した下方縁は、前記ネック部分の下方水平表面に溶け込む前に、湾曲式に上向きに並びに前記ヘッド部分に向かって延び、前記湾曲した上方縁は、前記ネック部分の上方水平表面に溶け込む前に、湾曲式に上向きに並びに前記ヘッド部分に向かって延び、前記ネック部分及び前記ヘッド部分は、前記修復歯側に側壁を含み、該側壁は、部分的に前記平面的な壁の前記湾曲した上方縁及び前記湾曲した下方縁によって形成され、前記側壁は、前記平面的な壁に溶け込み、前記平面的な壁の拡張であり、前記平面的な脚の前記湾曲した下方縁は、湾曲式に内向きに並びに前記ヘッド部分に向かって更に延びる、請求項３に記載の歯科用ウェッジ。
【請求項８】
前記下方縁は、湾曲式に前記本体部分に亘って延び、前記本体部分のほぼ中央部分に山を有する、請求項３に記載の歯科用ウェッジ。
【請求項９】
前記本体部分の断面は、傾斜したＴ形状に類似し、前記平面的な脚は、前記Ｔ形状の幹を形成する、請求項１に記載の歯科用ウェッジ。
【請求項１０】
前記本体部分の断面は、反転したＹ形状に類似し、前記平面的な壁の上方部分は、前記Ｙ形状の幹を形成する、請求項１に記載の歯科用ウェッジ。
【請求項１１】
前記ヘッド部分は、ピンを備えるピンセットを受け入れる開口と、ピンセットによる操作のための握りラグとを含む、請求項３に記載の歯科用ウェッジ。
【請求項１２】
当該歯科用ウェッジは、圧縮力に対して弾性的なバネのような抵抗をもたらす、請求項１に記載の歯科用ウェッジ。
【請求項１３】
当該歯科用ウェッジは、一体成形される構成部品である、請求項１に記載の歯科用ウェッジ。
【請求項１４】
当該歯科用ウェッジは、プラスチックで作製される、請求項１に記載の歯科用ウェッジ。
【請求項１５】
前記反転「Ｖ」形状の通路は、凹部領域を含み、該凹部領域は、当該歯科用ウェッジの垂直移動を助け、前記隣接する歯に対する当該歯科用ウェッジのより良好な適合をもたらす、請求項１に記載の歯科用ウェッジ。
【請求項１６】
前記上方縁は、凹部を含み、該凹部領域は、当該歯科用ウェッジの垂直移動を助け、前記隣接する歯に対する当該歯科用ウェッジのより良好な適合をもたらす、請求項１に記載の歯科用ウェッジ。
【請求項１７】
前記下方縁は、拡張部分を含み、該拡張部分は、当該歯科用ウェッジが歯準備空間の中央最深地点に侵入することを防止し、修復物のレッジの形成を防止する、請求項１に記載の歯科用ウェッジ。
【請求項１８】
前記ヘッド部分の前記開口は、円筒形の壁によって形成され、円錐形の上方表面が前記円筒形の壁から上方に延び、円錐形の下方表面が前記円筒形の壁から下方に延びる、請求項１８に記載の歯科用ウェッジ。
【発明の詳細な説明】
【技術分野】
【０００１】
（関連出願の参照）
この出願は２０１３年５月３日に出願されたニュージーランド特許出願第６１０１６０号及び２０１２年５月３１日に出願されたニュージーランド特許出願第６００３７３号の優先権を主張し、それらの両方を参照としてここに援用する。
【０００２】
本発明は歯科用ウェッジに関し、具体的には、歯修復中に用いられる歯科用ウェッジに関する。
【背景技術】
【０００３】
歯科用ウェッジは、通常は歯科用マトリックスバンド及び歯科用マトリックスバンド固定装置の組み合わせと共に、歯修復中に用いられる装置である。歯科用ウェッジの主目的は、歯科用マトリックスバンドを修復される歯に対して押し付けることである。これはマトリックスバンドが歯を封止し且つ歯科用修復材を所定の場所に維持するのを可能にする。歯科用ウェッジの他の目的は、歯を分離して、歯科医が歯を修復する十分な空間を可能にすることである。歯科用ウェッジは、圧力を加えて出血を制御する歯肉縁シールとしても役立つ。
【０００４】
歯科用ウェッジは頬側又は舌方向から歯間領域に挿入される。初期的に歯科用ウェッジは木製であったが、殆どの現在の歯科用ウェッジはプラスチック製である。歯科用ウェッジは異なる歯間領域に適するよう様々の大きさで出回っている。殆どの歯科用ウェッジは標準的な三角形の形状を有する。
【０００５】
歯科用ウェッジの標準的な形状は異なる歯修復に適さない。一部の歯修復は、その機能をより十分に遂行するために、歯科用ウェッジが異なる形状であることを要求する。歯冠配置及び他の間接的な歯修復中の使用のための歯科用ウェッジの必要もある。
【０００６】
米国特許第８，２０６，１５１号は本出願と同じ譲受人に譲渡され、譲受人の早期の歯科用ウェッジの一例である。
【発明の概要】
【発明が解決しようとする課題】
【０００７】
従来技術の歯科用ウェッジの問題を克服することが本発明の目的である。
【０００８】
歯の修復中の、より具体的には、歯冠の修復中の使用のための装置を提供することが、この発明の更なる目的である。
【０００９】
歯準備の肩（ショルダ）より下のアンダーカットを中位に並びに遠位に遮断する手段を提供することが、この発明の他の目的である。
【００１０】
修復部位を洗浄するのに要する時間を減少させるのが、この発明の更に他の目的である。
【課題を解決するための手段】
【００１１】
装置は、ヘッド部分と、ネック部分と、本体部分とを含む、歯科用ウェッジであり、ネック部分及び本体部分は、修復歯側と、隣接歯側とを有する。
【００１２】
従って、本発明は、非対称的な側部を有する歯科用ウェッジを提供する。歯科用ウェッジは、修復歯側を含む。修復歯側は、部分的に上方縁と下方縁とによって定められる概ね長手に延びる平面的な壁を有し、平面的な壁は傾斜させられ、平面的な壁は、下方縁から上向き及び内向きに延び、平面的な壁は、上方傾斜表面と、下方傾斜表面とを含み、平面的な壁は、長手方向に延びる凹面の湾曲を有し、上方傾斜表面は、修復歯側を概ね定める。歯科用ウェッジは、隣接歯側を更に含む。隣接歯側は、概ね長手に延びる平面的な脚を有し、平面的な脚は、上方縁と下方縁との間の場所で平面的な壁の下方傾斜表面から延び、平面的な壁及び平面的な脚は、長手に延びる反転Ｖ形状の通路を定め、平面的な脚は、凹部領域を有する下方縁を含む。
【図面の簡単な説明】
【００１３】
【図１】本発明の１つの実施態様に従った非対称的な側部を有する歯科用ウェッジを示す頂面図である。
【図２】図１の歯科用ウェッジを示す右側面図である。
【図３】図２の線３−３に沿って取った図１の歯科用ウェッジを示す断面図である。
【図４】図１の歯科用ウェッジを示す左側面図である。
【図５】図１の歯科用ウェッジを示す正面図である。
【図６】本発明の他の実施態様に従った非対称な側部を有する歯科用ウェッジを示す頂面図である。
【図７】図６の歯科用ウェッジを示す左側面図である。
【図８】図７の線８−８に沿って取った図６の歯科用ウェッジを示す断面図である。
【発明を実施するための形態】
【００１４】
図１は本発明の１つの実施態様に従った非対称的な側部を有する歯科用ウェッジ１０を示している。本発明の歯科用ウェッジは様々の大きさで利用可能である。更に、理解されるように、本発明の歯科用ウェッジは右向き及び左向きにおいて提供される。図面に示される歯科用ウェッジは全て左向きである。歯科用ウェッジは、ヘッド部分１２と、ネック部分１４と、本体部分１６とで構成される。ヘッド部分１２は、ピンを有するピンセットを用いて歯科用ウェッジ１０の配置を可能にする空隙又は開口１８を有する。ヘッド部分１２は、空隙１８を通じる断面において日時計の形状を有する。具体的には、ヘッド部分１２は、空隙１８を形成する円筒形の壁７０と、円筒形の壁７０から上方に延びる円錐形の上方表面７２（図２）と、円筒形の壁７０から下方に延びる円錐形の下方表面７４とを含む。空隙１８の回りの構成は、ピンを備えるピンセットが空隙１８を自己配置することを可能にする。ヘッド部分１２は、配置中に通常のピンセットのための握りとして働くラグ２０(lug)も有する。
【００１５】
ネック部分１４及び本体部分１６は、隣接歯側２２と修復歯側２４とによって示されるような非対称的な側部を有する。ネック部分１４の隣接歯側２２は深く湾曲した部分２６を含むのに対し、修復歯側２４は直線である部分２８を含む。任意的に、修復歯側２４の部分２８を僅かに湾曲させ得る。
【００１６】
本体部分１６の隣接歯側２２は一般的な波形を有し、波の谷にノッチ３０を備える。ノッチ３０は歯間空間内のウェッジ１０の可撓性を増大させ、隣接する歯とのより緊密な接触を形成する。ノッチ３０の位置は接触地点の傍であるが、隣接歯側にある。ノッチ３０は隣接する歯の回りでのウェッジのより良好な適合を可能にする。
【００１７】
本体部分１６の修復歯側２４は、ネック部分１４からウェッジ１０の先端３２になだらかな湾曲を有する。この構成は歯冠配置中に用いられる余分な歯科材料が歯間空間から流れ出ることを可能にする。歯科用ウェッジ１０は歯間空間への余分な歯科材料の進入も制限する。これは歯冠配置後の洗浄を減少させる。その構成は歯冠取扱中のウェッジ１０からの障害物も減少させる。
【００１８】
本体部分１６の２つの側部は結合して平坦な先端３２を形成する。
【００１９】
断面図において、本体部分１６の２つの側部は、図３に示されるように、不均衡な「Ｔ」形状を形成する。不均衡な「Ｔ」は、上部にある鋭利な上方縁３４と、底部にある「Ｖ」形状部分３６とで構成される。鋭利な上方縁３４の高さは、接触地点の異なる高さに適合するよう異なり得る。任意的に、歯科医は患者の口からの鋭利な上方縁３４の高さを所定のレベルに変更し得る。「Ｖ」形状部分３６は、歯科用ウェッジ１０の垂直移動を助ける凹部領域１００を有する。「Ｖ」形状部分３６は隣接する歯に対するウェッジのより良好な適合ももたらす。
【００２０】
ウェッジ１０の２つの側部２２，２４の不均衡な構成及びウェッジ１０に含まれる意図的な撓み（ノッチによって創り出される可撓性）は、ウェッジ１０の変形を可能にする。これらの機能はウェッジ１０が歯間空間をより十分に塞ぎ、隣接する歯とのより緊密な接触を形成する。不均衡な構成は隣接する歯に向かうウェッジ１０の傾斜も可能にする。傾斜はアンダーカット(undercut)の形成を防止し、修復歯でのより良好な接触地点の形成を助ける。
【００２１】
図４は歯科用ウェッジ１０の左側面図を示している。隣接歯側２２の下方縁４０を示している。修復歯側２４の下方縁４２も示している。その図は波のような形状の下方縁４０の谷に設けられるノッチ３０を示している。修復歯側２４の下方縁４２はエプロンのような形状を含み、それは従来技術に比べて拡張された部分４３をもたらす。拡張された部分４３は中央最深地点を有する歯科修復物におけるより良好な適合をもたらす。下方縁４２はウェッジ１０が歯準備空間の中央最深地点に侵入するのを防止し、修復物上のレッジ（棚）の形成を防止する。
【００２２】
図３−５は、修復歯側２４が概ね長手に延びる平面的な壁４４を含み、平面的な壁４４が、概ね上方向きを備える傾斜表面４６と、概ね下方向きを備える傾斜表面４８とを含むことを示している。隣接歯側２２は、概ね長手に延びる平坦な脚５０を含み、平坦な脚５０は、上方傾斜表面５２と、下方傾斜表面５４とを有する。図４は、湾曲した上方縁５６も示しており、上方縁５６は鋭利な上方縁３４から延びて広がり、ネック部分１４及びヘッド部分１２の頂部側５８に溶け込んでいる。図４は、湾曲した下方縁６０も示しており、下方縁６０は、隣接歯側２２の下方縁４０から延び、ネック部分１４及びヘッド部分１２の水平な底部側６２に溶け込んでいる。
【００２３】
歯科用ウェッジ１０は歯科医が通常の方法において修復のために歯を準備するように働く。歯科医は歯科用ウェッジ１０を修復されるべき歯のいずれかの側に配置する。歯科医は中位に並びに遠位に適合するよう歯冠を選択し且つ調節する。準備された歯に歯冠を固めるために、歯科用セメントが用いられる。歯冠が準備した歯の上に押し付けられるとき、余分なセメントは流れ出す。歯科用ウェッジ１０はセメントの流れを頬領域及び舌領域に方向付ける。歯科医はより良好なアクセスを有するので、頬領域及び舌領域は修復部位の回りの歯間領域よりも洗浄が容易である。歯科用ウェッジ１０は、修復部位で、特に歯間領域において、最小の洗浄で取り外される。
【００２４】
図６−８は、他の実施態様に従った本発明の歯科用ウェッジ１１０を示している。図６−８の歯科用ウェッジ１１０は、ノッチ３０よりもむしろ谷１３０をもたらす。谷１３０及びノッチ並びに類似の構成を概ね凹部領域３０又は１３０と呼ぶ。理解されるように、類似の機能は類似の参照番号で特定され、互換的に用いられる。
【００２５】
歯科用ウェッジ１１０は、ヘッド部分１１２と、ネック部分１１４と、本体部分１１６とで構成される。ヘッド部分１１２は、ピンを有するピンセットを用いて歯科用ウェッジの配置を可能にする空隙１１８を有する。ヘッド部分１１２は、配置中の通常のピンセットのための握りとして働くラグ１２０(lug)も有する。
【００２６】
ネック部分１１４及び本体部分１１６は非対称的な側部を有する。ウェッジの一方の側は隣接歯側１２２のためであり、他の側は修復歯側１２４のためである。ネック部分１１４の隣接歯側１２２は深く湾曲した部分１２６を含むのに対し、修復歯側１２４は僅かに湾曲した部分１２８を含む。
【００２７】
本体部分１１６の隣接歯側１２２は、２つの翼又は波形状を有し、それらの間に谷１３０を備える。隣接する歯は、翼によって形成される谷１３０に適合する。この側の主目的は、隣接する歯に対して跳ねることである。本体部分１１６の修復歯側１２４は、先端１３２からネック部分１１４になだらかな湾曲を有する。これは歯間配置中に用いられる歯科材料が歯間領域内に流れ出るのを阻止し、爾後の洗浄を減少させる。この側はウェッジ１１０からの干渉のない歯冠取扱いも可能にする。本体部分１１６の２つの側部は結合して、図８に示されるような「Ｙ」形状の断面を形成する。「Ｙ」は、頂部にある鋭利な縁１３４と、底部にある反転「Ｖ」形状とで構成される。鋭利な縁１３４は修復歯側が歯科材料の流出を阻止するのを助ける。鋭利な縁１３４は凹部２００を含み、凹部２００はウェッジ１１０の垂直移動を助ける。鋭利な縁１３４は隣接する歯に対するより良好な適合ももたらす。「Ｖ」形状はそのバネ作用で隣接歯側を助ける。「Ｖ」形状は乳頭突起(papilla)に跨り、乳頭突起を保護する。「Ｖ」形状はウェッジ１１０が鼓形空隙(embrasure)内により低く座して、アンダーカットを遮り、余分な歯科材料がこの領域内に流れ出るのを阻止する。
【００２８】
図７に見られるように、本体部分１１６の２つの下方縁１４０，１４２は上方に湾曲し、先端１３２で集束し、歯科用ウェッジの容易な挿入を可能にする。
【００２９】
特定の用途との関連において本発明を記載したが、この出願は本質的に例示的であり、この発明の可能な用途について限定的であることを意図しない。本発明の精神及び範囲から逸脱することなく変更及び変形を行い得ることが理解されよう。本開示は本発明の例示として意図され、本発明を例示され且つ記載された特定の実施態様に限定することを意図しない。本開示は、付属の請求項によって、請求項の範囲内に入る全てのそのような変更をカバーすることを意図する。
【図１】
2015517891.tif 000002
【図２】
2015517891.tif 000003
【図３】
2015517891.tif 000004
【図４】
2015517891.tif 000005
【図５】
2015517891.tif 000006
【図６】
2015517891.tif 000007
【図７】
2015517891.tif 000008
【図８】
2015517891.tif 000009